(57)【要約】【課題】携帯型情報伝送端末装置の操作パネル上の操作ボタンの内の２つを本体から離れた場所でも操作できるようにし、より操作性を良くする。【解決手段】操作パネル上のシャッター・ボタン１０２の操作でカメラ装置からの情報を入力、および通話ボタン１０３の操作でマイクロフォンからの情報を入力して管理局側の情報処理装置に伝送する携帯型の装置本体とを備えた携帯型情報伝送端末装置において、リモート操作ボタン接続コネクタ１０６を介して、カメラ装置の表面に取付けた、シャッター・ボタンおよび通話ボタンとそれぞれ同じ操作機能をもつスイッチ手段を有するリモート操作ボタンと接続することで、リモート操作ボタンで撮影操作と並行して撮影と通話操作できるようにする。【選択図】  図１
2004282304.tif 000002
【特許請求の範囲】
【請求項１】
現場で操作員が手に持って画像情報を収集するためのカメラ装置と、現場で音声情報を入力するためのマイクロフォンと、現場の操作員が装着できる携帯型に構成され、操作パネル上のシャッター・ボタンの操作で前記カメラ装置からの情報を入力、および通話ボタンの操作で前記マイクロフォンからの情報を入力して管理局側の情報処理装置に伝送する装置本体とを備えた携帯型情報伝送端末装置において、
前記カメラ装置の表面に取付けられ、前記シャッター・ボタンおよび通話ボタンとそれぞれ同じ操作機能をもつスイッチ手段を有するリモート操作ボタンを備えたことを特徴とする携帯型情報伝送端末装置。
【請求項２】
前記リモート操作ボタンは、タクティル・スイッチを小型基板に半田付けし、補強用金属ベース・ボードと布カバーで覆って前記カメラ装置に接合した構造を特徴とする請求項１に記載の携帯型情報伝送端末装置。
【請求項３】
前記リモート操作ボタンは、前記シャッター・ボタン用の第１のタクティル・スイッチと、前記通話ボタン用の第２のタクティル・スイッチとを有し、これら両タクティル・スイッチを一体型の金属べ一ス・ボード上に配置し、かつハンディ・タイプのカメラ装置上で、操作員の２本の指位置に合わせた構造を特徴とする請求項１に記載の携帯型情報伝送端末装置。
【請求項４】
前記金属ベース・ボードは、前記両タクティル・スイッチを個別に装着する分離構造とし、この両部分をカメラ装置上の任意の位置で接合する構造を特徴とする請求項３に記載の携帯型情報伝送端末装置。
【請求項５】
前記シャッター・ボタンおよび通話ボタンと前記タクティル・スイッチとの接続は、ケーブルによる接続、無線による接続、光信号による接続、超音波信号による接続のいずれか１つの接続とすることを特徴とする請求項１〜４のいずれか１項に記載の携帯型情報伝送端末装置。
【発明の詳細な説明】
【０００１】
【発明の属する技術分野】
本発明は、ディジタル化された画像や音声の情報を、遠隔地にある情報処理装置に伝送するための携帯型情報伝送端末装置に関わるものである。
【０００２】
【従来の技術】
現在、携帯電話（ＰＤＣ：Ｐｏｒｔａｂｌｅ  Ｄｉｇｉｔａｌ  Ｃｅｌｌｕｌａｒ）や、ＰＨＳ（Ｐｅｒｓｏｎａｌ  Ｈａｎｄｙ−ｐｈｏｎｅ  Ｓｙｓｔｅｍ）の普及によって、モバイル通信が華やかである。その様な中に於いて、これらの通信媒体を利用し、画像データや音声データを圧縮して遠隔地にある情報処理装置（パソコンなど）に伝送し、現場の状況を報告するための携帯型情報伝送端末装置が知られている。
【０００３】
この携帯型情報伝送端末装置は、その主たる伝送情報は画像データと音声データであり、現場の映像を画像処理して伝送する機能、および現場と音声による情報交換機能をもつのが一般的である。この携帯型情報伝送端末装置の使用形態を図２０に示す。
【０００４】
図２０に於いて、１００が入力された画像情報と音声情報を圧縮処理して伝送するための携帯型情報伝送端末装置の本体（無線電話機を含む）、２００が伝送された画像情報を受信して処理するための管理局側の情報処理装置（パソコンなど）の本体である。
【０００５】
また、同図に於いて、３０１は、画像情報を入力するためのカメラ装置（ビデオ・カメラやディジタル・スチル・カメラなど）、３０２は音声情報を入力するためのマイクロフォン、３０３は管理局側から送られてきた音声情報を音声として出力するためのスピーカである。ここでは、３０２のマイクロフォンと３０３のスピーカは、一体になって頭部に装着できるヘッドセットを例に採っている。
【０００６】
また、同図に於いて、４００は情報の伝送媒体である通信網（ＰＤＣ，ＰＨＳ、アナログ電話、ＬＡＮなど）を示す。また、５０１は受信した画像情報を表示するための画像出力装置（ＣＲＴ、ＬＣＤ、ビデオ・モニタなど）、５０２は管理局側の音声を入力するためのマイクロフォン、５０３は端末側から送られてきた音声を再生するためのスピーカである。こちらも、５０２のマイクロフォンと５０３のスピーカは、一体になって頭部に装着できるヘッドセットを例に採っている。
【０００７】
図２０に於いて、遠隔地に赴いた操作員は、図に示すような体勢で、３０１のカメラから画像情報を入力し、これを１００の携帯型情報伝送端末装置に於いて、圧縮処理して伝送する。この情報は、４００の伝送媒体（通信網）によって遠隔地に送られるので、管理局側では、これを通信網を介して受信し、２００の情報処理装置にて伸長処理して元の画像情報に再生し、この情報を５０１の表示装置に表示する。
【０００８】
更に、この様な装置では、現場と管理局との間で、音声情報の交換ができる。この場合は、１００の携帯型情報伝送端末装置と、２００の情報処理装置との間で、双方向の音声圧縮と伸張処理を相互に行うことによってこの機能を実現する。
【０００９】
さて、この様な、携帯型情報伝送端末装置（１００）の実現例として、当社にて製品化した装置の形態を示したものが図２１および図２２である（例えば、特許文献１参照）。
【００１０】
各図において、１００ａは本装置の操作を行うスイツチや表示を集めた操作パネル部、１００ｂは本装置と外部機器との電気的接続（コネクタ）部分を集めた外部インターフェース・パネル部、１００ｃは外部インターフェース不使用時にインターフェース部を保護するための保護用蓋、１００ｄは本装置をベルトに実装するためのベルト・フック、１００ｅは本装置を肩掛けで使用する場合のストラップを保持するためのストラップ・フックである。
【００１１】
先述の通り、この装置は、屋外の遠隔地から無線などを介して情報を伝送するための端末装置であり、特に施設、設備の保守点検、工事や災害現場などの状況監視などに用いる必要性から、標準的に屋外で使用されるものである。
【００１２】
【特許文献１】
特開２００２−７３３７６
【００１３】
【発明が解決しようとする課題】
このように、機動性の高い携帯型情報伝送端末装置を使用する場合、現場から管理局を呼び出して通信回線を接続し、管理局側の情報処理サーバ装置（パソコンなど）との間で通信プロトコルが成立すると、静止画情報や、動画情報、音声情報などの授受を行って各種の動作が行われる。
【００１４】
装置の操作を実現するための、一般的な操作パネルの例を図２３に、またその実現回路例を図２４に示す。また、この装置の一般的な操作処理フローの例を示したものが図２５である。
【００１５】
まず、図２３において、１００ａが操作パネルの全体、１０１は電源ボタン、１０２はシャッター・ボタン、１０３は通話ボタンである。電源ボタンは電源の入／切、動画ボタンは動画伝送の開始／終了の操作、シャッター・ボタンは静止画の取り込みと送信、通話ボタンは通話期間中に押下するのが通常の使用法である。これら３つのボタン（スイッチ）は、この端末装置から管理局に対する接続要求（発呼）を行う際（図２５のＦ２のフェーズ）に、接続先を選択するためにも使用される。
【００１６】
また、１０５ａ〜１０５ｃは動作表示（電源、動画、静止画、通話）用のＬＥＤ、１０６と１０７は、エラー表示や充電中表示など状態表示用のＬＥＤである。
【００１７】
また、この操作パネル部を実現するための回路は、図２４に示す通りであるが、１１０は情報伝送端末装置の全体を制御するためのＣＰＵ、１１１はそのＣＰＵのローカルバス、１１０ａは読み出しコマンド信号（ＲＤ信号）、１１０ｂは書き込みコマンド信号（ＷＲ信号）である。また、１１２はスイッチ状態を読み込むためのＤＩ回路、１１３は表示ＬＥＤを点灯／消灯させるためのＤＯ回路である。更に、１０１は、図２３の操作パネル上にある電源ボタン、１０２はシャッター・ボタン、１０３は同じく通話ボタン、１０５ａ〜１０５ｃは動作表示ＬＥＤである。
【００１８】
ここで、図２５を用いて処理の流れを説明する。同図図において、楕円は処理フェーズを示し、太い矢印は状態の遷移を示す。
【００１９】
Ｆ１：電源オフの状態で、ここからスタートする。この例では、この状態でも電源ボタンをスキャンする機能だけは動作している。
【００２０】
Ｆ２：Ｆ１状態で、電源ボタンがクリックされると、主電源投入動作を行い、宛先指定処理を行う。予め記憶させてある複数の宛先の電話番号などの内から接続宛先を選択する。
【００２１】
Ｆ３：Ｆ２で指定された宛先との接続処理（回線の接続処理）を行う。
【００２２】
Ｆ４：宛先との接続処理が完了後、装置は自動的に動画伝送状態となる。動画像データを連続的に宛先の管理局側に転送する。この状態では、電源ボタン、シャッター・ボタン、通話ボタンがスキャンされている。
【００２３】
Ｆ５：Ｆ４の動画伝送状態で、シャッター・ボタンをクリックすると、装置は静止画の画像情報を読み込み、圧縮処理を行ってその静止画データを宛先の管理局側に転送する。静止画データ転送後、自動的にＦ４に復帰する。
【００２４】
Ｆ６：Ｆ４の動画伝送状態で、通話ボタンを押下すると、装置は通話状態になる。この状態で装置は音声情報を取り込み、圧縮処理を行ってその音声データを宛先の管理局側に転送する。通話ボタンを開放すると、音声送信状態を終了し、Ｆ４に復帰する。
【００２５】
Ｆ７：Ｆ４の動画伝送状態で、電源ボタンをクリックすると装置は、接続中のネットワーク（回線）を切断し、電源をオフして初期状態に戻る。
【００２６】
さて、このような基本機能を有する、現状の携帯型情報伝送端末装置の場合、先に述べたように、端末装置側の操作者は、図２０に示すような状態で、右手にビデオ・カメラを持ち、それをファインダで覗きながら、左手で、端末装置のボタン操作を行う。端末装置には、図２３に示した通り、「電源」、「シャッター」、「通話」という３つのボタンが必要であり、これが用意されている。
【００２７】
先ず、電源の操作時は、未だビデオ・カメラからの入力は行っていないので、操作者は、操作パネルを見ながら、電源ボタンを押下することによって電源を投入する。また、宛先選択フェーズでは、電源ボタン、シャッター・ボタン、通話ボタンにそれぞれ、Ａ〜Ｃの宛先指定ボタンの意味を重複させているために、これを見ながら、宛先選択操作を行う。
【００２８】
それ以後、通常の動画伝送フェーズに入ると、操作者は、図２０のような体勢で操作を行う必要が出て来る。
【００２９】
電源投入から、宛先選択フェーズまでは、ボタンを見ながら操作できるので、特に問題はないが、動画伝送フェーズに移ってから、「静止画伝送を行うためにシャッター・ボタンをクリックする」という操作と、「音声通話中に、通話ボタンを押下する」という操作を行う際には、操作者は、ビデオ・カメラを覗いている状態なので、左手でこの装置を操作する場合、手探り状態でボタンを捜す必要が出て来る。慣れてくれば、ある程度操作性は上がるが、初期状態では、いちいちカメラから目を離して、ボタンを確認して、押下しなければならず、操作性の悪いものであった。特に、現場で手袋をした状態では、手探りでボタンを探すことは困難で、ボタンの確認のためにカメラから目を離すと、せっかく捉えていた被写体を逃す恐れもあった。
【００３０】
本発明の目的は、端末装置の操作パネル上の操作ボタンの内の２つを本体から離れた場所でも操作できるようにし、より操作性を良くした携帯型情報伝送端末装置を提供することにある。
【００３１】
【課題を解決するための手段】
本発明は、前記の課題を解決するため、端末装置に搭載される３つのボタンのうち、静止画送信に用いるシャッター・ボタンと通話処理に用いる通話ボタンの操作を、現場撮影用カメラ装置に接合したスイッチでリモート操作できるようにしたものであり、以下の構成を特徴とする。
【００３２】
（１）現場で操作員が手に持って画像情報を収集するためのカメラ装置と、現場で音声情報を入力するためのマイクロフォンと、現場の操作員が装着できる携帯型に構成され、操作パネル上のシャッター・ボタンの操作で前記カメラ装置からの情報を入力、および通話ボタンの操作で前記マイクロフォンからの情報を入力して管理局側の情報処理装置に伝送する装置本体とを備えた携帯型情報伝送端末装置において、
前記カメラ装置の表面に取付けられ、前記シャッター・ボタンおよび通話ボタンとそれぞれ同じ操作機能をもつスイッチ手段を有するリモート操作ボタンを備えたことを特徴とする。
【００３３】
（２）前記リモート操作ボタンは、タクティル・スイッチを小型基板に半田付けし、補強用金属ベース・ボードと布カバーで覆って前記カメラ装置に接合した構造を特徴とする。
【００３４】
（３）前記リモート操作ボタンは、前記シャッター・ボタン用の第１のタクティル・スイッチと、前記通話ボタン用の第２のタクティル・スイッチとを有し、これら両タクティル・スイッチを一体型の金属べ一ス・ボード上に配置し、かつハンディ・タイプのカメラ装置上で、操作員の２本の指位置に合わせた構造を特徴とする。
【００３５】
（４）前記金属ベース・ボードは、前記両タクティル・スイッチを個別に装着する分離構造とし、この両部分をカメラ装置上の任意の位置で接合する構造を特徴とする。
【００３６】
（５）前記シャッター・ボタンおよび通話ボタンと前記タクティル・スイッチとの接続は、ケーブルによる接続、無線による接続、光信号による接続、超音波信号による接続のいずれか１つの接続とすることを特徴とする。
【００３７】
【発明の実施の形態】
本発明では、端末装置の操作パネル上の操作ボタンの内の２つを本体から離れた場所でも操作できるようにし、より操作性を良くすることを提案する。
【００３８】
最も操作に適する操作ボタンの位置は、操作者が既にビデオカメラを持っている右手で操作できる範囲である。そうすれば、左手は完全にフリーな状態とすることが可能となり、より実用的な扱いができるようになる。
【００３９】
そこで、本発明では、装置本体から離れた場所で操作できる操作ボタンのことをリモート操作ボタンと呼び、これを右手で操作するビデオ・カメラに接合（取付けや貼り付け）して使用する方法を提案する。
【００４０】
まず、本発明の方式を実現するための端末本体部分の改良を説明する。図１に本発明に適用するための操作パネル部分の回路例を示す。基本部分は、図２４と同じであるが、１０６部にリモート操作ボタンを接続するためのコネクタを設け、このコネクタには１０２のシャッター・ボタンの状態信号（Ｓ信号）、１０３の通話ボタンの状態信号（Ｃ信号）と、グランドレベルの３本の線を接続してコネクタ端子に引き出しておく。
【００４１】
図２が実際の装置に、このリモート操作ボタン接続コネクタを配置した例である。ケーブルによって、本体から離れた場所に設置できるリモート操作ボタンは、この部分で本体と接続される。
【００４２】
次に、リモート操作ボタンの設置位置については、次の様な例を考える。図３は、市販されているハンディー・タイプのビデオ・カメラを斜め後方から見た場合の斜視図の例である。本端末装置に画像情報を取り込むための装置としては、標準的にこのようなタイプのビデオ・カメラが用いられる。同図に於いて、３０１はビデオ・カメラの全体、３０１１は撮影時に操作者が映像を確認するためのファインダ、３０１２は撮影レンズ、３０１３は集音用のマイク（反対面）、３０１４は撮影用テープのキャリー、３０１５はバッテリ、３０１６はズーム（広角←→望遠）の操作レバー、３０１７は録画ボタン、３０１８は装置を手で保持するためのホルダ・ベルト、３０１９はビデオ音声信号の出力端子（ピン）である。
【００４３】
この例に示すビデオ・カメラを実際に扱う場合の形態を考えると、図４のようになる。右手を３０１８のホルダ・ベルトに通して、本体を保持した後、人差指で３０１６のズーム・レバーを操作し、親指を用いて、３０１７の録画ボタンを操作するのが、基本的な使用方法である。
【００４４】
このビデオ・カメラを本発明の端末装置を用いた画像伝送に用いる場合は、基本操作は人差指によるズームの調整だけであり、その他の指は特に使用されない。
【００４５】
そこで、図５中に四角で示した部分に、リモート操作ボタンを設置する例を考える。この部分に操作ボタンがあると、図６に示すように、操作者は、右手の親指と小指でこれら２つのボタンを操作することができる。これら２つの操作ボタンを「ボタンＢ：シャッター・ボタン」と「ボタンＣ：通話ボタン」に割り当てれば、操作者は、ビデオ・カメラで必要な画像を見ながら、静止画伝送操作と、通話操作を安直に行えるようになる。
【００４６】
ここで、実際のリモート操作ボタンの実現例について説明する。
【００４７】
図７に、本発明におけるリモート操作ボタン部の実現回路例を示す。図１のＤＩ回路部分にリモート操作ボタン部を追加したものであるが、１０６部の接続コネクタに、ケーブルで伸ばした「ボタンＢ：シャッター・ボタン」と「ボタンＣ：通話ボタン」が図のように接続される。これら２つのリモート操作ボタンは、図１に於ける１０２と１０３部の２つのボタン・スイツチと同等の働きをする。
【００４８】
次に、このリモート操作ボタンの実際の構成例を示す。まず、後述の実施形態１では単独の小型ボタン・スイッチを構成する例、実施形態２では、保持強度を増すために２個のボタン・スイッチを一体で実現する例、実施形態３では、保持強度を増しながら使用する指を変更できるようにした例を示す。
【００４９】
＜実施形態１＞
図８と図９に本発明によるリモート操作ボタンの単独型の構成を示す。図８に於いて、１００１は、ボタン・スイッチ（操作ボタン）の本体で、タクティル・スイッチなどを用いる。１００２はスイッチ実装用の小型基板であり、スイッチを半田付けするパターンと接続ケーブルを半田付けするパターンとが配線されている。１００３は接続ケーブル、１００４は補強のための金属板であり、後述の実施形態ではこの板にある程度の柔軟性を持たせることが要求されるため、薄手のアルミ板などを用いる、１００５は布カバーの下側であり、屋外使用を考慮して防水性のある布を利用する。
【００５０】
図８では、１００２の基板に１００１のスイッチを半田付けし、１００２に１００３のケーブルを半田付けした後、１００４の金属板を張り合わせる。また、１００５の布を下側に添える。
【００５１】
この状態になったものに、図９に示す通り、１００６の上側の布を被せ、ケーブルには、１００７の抜け止めリングを嵌めてから、布カバー上に示した点線の位置で上下の布を縫い合わせる。更に、１００５の布カバーの下側の裏には、マジック・テープ（ここでは凸としておく）を張り合わせる。
【００５２】
このような構成で製作し、完成した状態を図１０に示す。
【００５３】
このような状態で、単独のスイッチが防水性の布で包まれた形の操作ボタンが完成するが、図５のビデオ・カメラの例で四角で示す位置（２箇所）にマジック・テープの凹側を適切な寸法で貼り付けて置き、この例に示すリモート操作ボタンのマジック・テープ凸側と接合すれば、この部分にリモート操作スイツチを設置できると共に、着脱できることから、不要時は取り外しておくことも可能になる。
【００５４】
これにより、本実施形態のリモート操作ボタンは、図６に示すような使用形態で使用することができるようになる。また、それぞれのボタンから引き出されているケーブルは、カメラから端末本体に結ばれている映像用のケーブルと一緒に束ねることが出来、ケーブルが増えることによる煩雑さは余り感じさせることはない。
【００５５】
＜実施形態２＞
本実施形態２では、実施形態１で示したボタン・スイッチ付きの基板を２枚実装した、リモート操作ボタン機構を紹介する。この例の場合は、図８の１００４部に相当する金属板（べ一ス・ボード）を、図に示すような形に加工する。この形状の金属板の両端にボタン・スイツチ付きの基板を１枚ずつ貼り付ける。金属板の材質は、薄手のアルミニウム板などとし、ある程度の外力で塑性変形できるものを選ぶ。更に、この形状にあわせた、上下の防水布を重ねて縫い合わせ、更に裏側にマジック・テープ凸を貼り付けることにより、図１２に示すような構造体を作る。
【００５６】
寸法的には、図１３に示す通り、リモート操作ボタン装置の上に、標準的な大人の右手を乗せた場合に、操作ボタンの位置が親指と小指に合うような大きさとする。
【００５７】
この構造体を、実際に使用するビデオ・カメラに実装する例を、図１４に示す。まず、カメラ本体側の適切な位置にマジック・テープの凹側を貼り付けておく、本実施形態２のリモート操作ボタン装置をカメラの外形に合わせて軽く折り曲げ、ボタンの裏側に貼ってあるマジック・テープ凸部分で、カメラに貼り付けてあるマジック・テープ凹の部分と接合する。
【００５８】
このような実装を行うと、あたかも、カメラ本体に操作ボタンが２個増設されたイメージとなる。リモート操作ボタン装置をカメラと接合しているマジック・テープ部分は、カメラを支持する右手の掌の内側になり、操作ボタン装置の取り付けを押えつける方向になるため、操作中に脱落するような心配はない。
【００５９】
この装置を撮影用のビデオ・カメラに装着して実際に使用する状態の例を図１５に示す。この例では、ボタンＣの通話ボタンを親指で、ボタンＢのシャッター・ボタンを小指で操作する場合を示している。
【００６０】
＜実施形態３＞
前記の実施形態２では、べ一ス・ボードとなる金属板の形状が固定しており、２箇所のボタン・スイッチの位置が固定されているため、操作に使用する指が必然的に定まってしまう（例えば、親指と小指）訳である。本実施形態３では、この構造体を２つに分離して、任意の指で操作できるように柔軟性を持たせた例を紹介する。
【００６１】
実施形態２のべ一ス・ボード（図１１）を、図１６に示すような２つの部分に分離し、折れ曲がりのある方を親指用、直線的な形状の方をその他指用として用いる。図１７に完成状態を示すようにボタン・スイツチ基板、布カバー、マジック・テープの加工方法は、実施形態１，２と同様である。但し、親指用側には、表面にマジック・テープ凹側を貼り付ける加工が追加され、その他指用側には、裏側にマジック・テープ凸側を貼り付ける加工が追加される。
【００６２】
さて、この様に２つの部分に分離されたリモート操作ボタシ装置を、実際のビデオ・カメラに装着する方法を、図１８に示す。まず、カメラ本体側の適切な位置にマジック・テープの凹側を貼り付けておく。本実施形態３のリモート操作ボタン装置の親指側をカメラの外形に合わせて軽く折り曲げ、ボタンの裏側に貼ってあるマジック・テープ凸部分で、カメラに貼り付けてあるマジック・テープ凹の部分と接合する。更に、その他指用の操作ボタン装置をカメラ本体の外形に合わせて軽く折り曲げた後、親指側の操作ボタン装置の表面に貼られたマジック・テープ凸部分に装着する。この際、その他指用のボタンは操作に使用する任意の指に合わせた位置に取り付ける。
【００６３】
このような実装を行うと、あたかも、カメラ本体に操作ボタンが２個増設されたイメージとなる。リモート操作ボタン装置をカメラと接合しているマジック・テープ部分は、カメラを支持する右手の掌の内側になり、操作ボタン装置の取り付けを押えつける方向になるため、操作中に脱落するような心配はない。
【００６４】
この実施形態３に示したリモート操作ボタンを撮影用のビデオ・カメラに装着して実際に使用する状態の例を図１９に示す。この例は、その他指用のボタンを、中指の位置に設置した例である。
【００６５】
この実施形態３の方式では、操作ボタンの位置を、使用するカメラや、使用したい指に合わせてある程度の自由度を持って設置できることが大きな特長である。
【００６６】
なお、以上までの実施形態では、前記シャッター・ボタンおよび通話ボタンと前記タクティル・スイッチとの接続はケーブルによる接続とする場合を示すが、これは無線による接続、光信号による接続、超音波信号による接続とすることができる。
【００６７】
【発明の効果】
一般に屋外の遠隔地から無線などを介して画像や音声情報を伝送するための携帯型情報伝送端末装置では、通常操作に必要な最低限の操作ボタンと、ＬＥＤ表示機能しか持たないのが理想である。専用端末装置における課題は、小型化、低価格化、低消費電力化と言った点にあるが、これに加えて現場での使用に合わせて、操作の簡易性、耐環境性の向上と言った点が求められている。
【００６８】
従来の携帯型情報伝送端末装置の機構を考えた場合、この装置を腰ベルトに装着し、操作者がこの装置を使用する場合、右手で支えているカメラを覗いて映像を監視しながら、左手で腰に下がった本装置の押しボタンを操作することは、かなり困難な作業となる。
【００６９】
つまり、実際に撮影したい画面を見ているときに、操作ボタンの位置を確認するために一旦、目を離して、操作パネルを確認するか、それができない場合には、手探りで本体の押しボタンを探して、操作する形になる。
【００７０】
このような操作方法で、目でボタン位置を確認すると、その瞬間に撮りたい画像を逃す可能性が高くなり、また、手探りでボタンを操作する場合には別のボタンとの誤操作（押し間違い）の恐れが高くなる。慎重に操作するには操作のための時間が掛かって、機敏な操作を行うことができないという問題があった。
【００７１】
本発明によるリモート操作ボタンの場合、操作ボタンを本体から分離した任意の位置に移すことができるため、その位置をいちいち目で確認しなくても（カメラを覗いたままで）操作できるようにすることによって、本体スイッチのみの場合の弱点を解決することができる。
【図面の簡単な説明】
【図１】本発明に適用する操作パネル部の回路例。
【図２】本発明に適用する操作パネル部の実装例。
【図３】市販のハンディタイプ・ビデオ・カメラの例。
【図４】市販のハンディタイプ・ビデオ・カメラの使用状態例。
【図５】市販のハンディタイプ・ビデオ・カメラの例。
【図６】リモート操作ボタンの操作例。
【図７】リモート操作ボタンの実現回路例。
【図８】本発明によるリモート操作ボタンの構成（実施形態１）。
【図９】本発明によるリモート操作ボタンの構成（実施形態１）。
【図１０】本発明によるリモート操作ボタンの外観（実施形態１）。
【図１１】実施形態２によるリモート操作スイッチの金属ベース・ボードの形状。
【図１２】実施形態２によるリモート操作スイッチの完成状態。
【図１３】実施形態２によるリモート操作スイッチの手指との位置関係。
【図１４】実施形態２によるリモート操作スイッチのビデオ・カメラへの実装状態。
【図１５】実施形態２によるリモート操作ボタンの操作例。
【図１６】実施形態３によるリモート操作スイッチの金属ベース・ボードの形状。
【図１７】実施形態３によるリモート操作スイッチの完成状態。
【図１８】実施形態３によるリモート操作スイッチのビデオ・カメラへの実装状態。
【図１９】実施形態３によるリモート操作スイッチの金属ベース・ボードの形状。
【図２０】従来の遠隔情報伝送システムの使用形態。
【図２１】携帯型情報伝送端末装置の概観および操作パネル部例。
【図２２】携帯型情報伝送端末装置の外部インタフェース・パネル部例。
【図２３】携帯型情報伝送端末装置の操作パネルの実現例。
【図２４】従来の操作パネル部の回路例。
【図２５】従来の携帯型情報伝送端末装置の処理フロー例。
【符号の説明】
１００…携帯型情報伝送端末装置の本体
２００…管理局側の情報処理装置
１７０…ＣＰＵ
１７３…ＤＩ回路
１０６…リモート操作ボタン接続コネクタ
１０２、Ｂ…シャッター・ボタン
１０３、Ｃ…通話ボタン
１００１…タクティル・スイッチ
１００２…スイッチ実装用基板
１００３…接続ケーブル
１００４…金属板（ベース・ボード）
１００５、１００６…布カバー
１００８…マジック・テープ
【図１】
2004282304.tif 000003
【図２】
2004282304.tif 000004
【図３】
2004282304.tif 000005
【図４】
2004282304.tif 000006
【図５】
2004282304.tif 000007
【図６】
2004282304.tif 000008
【図７】
2004282304.tif 000009
【図８】
2004282304.tif 000010
【図９】
2004282304.tif 000011
【図１０】
2004282304.tif 000012
【図１１】
2004282304.tif 000013
【図１２】
2004282304.tif 000014
【図１３】
2004282304.tif 000015
【図１４】
2004282304.tif 000016
【図１５】
2004282304.tif 000017
【図１６】
2004282304.tif 000018
【図１７】
2004282304.tif 000019
【図１８】
2004282304.tif 000020
【図１９】
2004282304.tif 000021
【図２０】
2004282304.tif 000022
【図２１】
2004282304.tif 000023
【図２２】
2004282304.tif 000024
【図２３】
2004282304.tif 000025
【図２４】
2004282304.tif 000026
【図２５】
2004282304.tif 000027